(57)【要約】【課題】放熱手段を取り付け可能な撮像装置において放熱手段未装着の際には局所的に熱くなりにくく、放熱手段を装着した際には本体から放熱手段へ効率よく伝熱することを可能とした撮像装置を提供すること。【解決手段】三脚を取り付けるための三脚座１２０を備える撮像装置であって、三脚座１２０よりも熱伝導率の低い材料からなる外装カバー１１０と電気部品を実装した基板２０６と、外部から着脱可能な放熱手段３００を別ユニットとして持ち、外部から該放熱手段３００を接続可能な挿入部１２２とを備える撮像装置及び放熱装置であって、挿入部１２２は三脚座１２０と基板２０６に隙間を設けた空間で形成され、放熱手段３００は挿入部１２２に挿入可能な突起部３０１を備えており、挿入部１２２に突起部３０１が挿入された際には突起部３０１を介して基板２０６から三脚座１２０への伝熱が行われる。【選択図】図６
2019028194.tif 000002
【特許請求の範囲】
【請求項１】
三脚を取り付けるための三脚座１２０を備える撮像装置であって、
該三脚座１２０よりも熱伝導率の低い材料からなる外装カバー１１０と
電気部品を実装した基板２０６と、
外部から着脱可能な放熱手段３００を別ユニットとして持ち、
外部から該放熱手段３００を接続可能な挿入部１２２と、を備える撮像装置及び放熱装置であって、
前記挿入部１２２は前記三脚座１２０と前記基板２０６に隙間を設けた空間で形成され、前記放熱手段３００は前記挿入部１２２に挿入可能な突起部３０１を備えており、前記挿入部１２２に該突起部３０１が挿入された際には該突起部３０１は前記基板２０６と前記三脚座１２０に接触した状態となることを特徴とする撮像装置及び放熱装置。
【請求項２】
前記挿入部１２２において前記基板２０６に保護のための薄板２０８を配置したことを特徴とする請求項１に記載の撮像装置及び放熱装置。
【請求項３】
前記放熱手段３００の前記三脚座１２０に接する面に熱伝導率の高い部材３０２を設けたことを特徴とする請求項１又は請求項２に記載の撮像装置及び放熱装置。
【発明の詳細な説明】
【技術分野】
【０００１】
本発明は、放熱手段を有する撮像装置に関する。
【背景技術】
【０００２】
従来、デジタルカメラのような撮像装置では、静止画の高画質化のみならず、動画の高画質化が進んでいる。動画撮影を長時間にわたって続けると、撮像装置の本体内部に配設させている基板上に実装された電気部品が発熱し、撮像装置の本体内部に熱が蓄積され温度上昇することによって、画質低下や動作異常などが発生するおそれがある。
【０００３】
そこで、電気部品等で発生した熱を撮像装置の本体外部へ逃がす構造が提案されている。特許文献１では、伝熱ゴムを介在し電気部品から外装部品へ熱を伝熱している。特許文献２では、撮像素子の裏面に放熱板を配置し、放熱板の放熱部が三脚座となっている。
【先行技術文献】
【特許文献】
【０００４】
【特許文献１】特開２００５−６４１４６号公報
【特許文献２】特開２００６−２１１０９１号公報
【発明の概要】
【発明が解決しようとする課題】
【０００５】
しかしながら、発熱量が増加すると上記特許文献１に記載された構造では外装部材が局所的に熱くなってしまい、上記特許文献２に記載された構造を適用すると三脚座が局所的に熱くなってしまう。局所的に熱くなった箇所を撮影者が直接触れた場合に撮影者が不快に感じたるおそれがある。
【０００６】
不快を回避するための対応としては所定の温度に達した際に撮影を停止し、冷却時間を設けたり、画質を低下させて発熱量を低減させたりする場合がある。
【０００７】
しかし、撮影停止、画質の低下は撮影者にとって意図しない状態であり、場合によっては撮影機会を逃すことになりかねない。このため、放熱を優先する場合には外部より冷却手段を装着して本体の温度上昇を抑え、撮影可能時間を延ばすことが望まれる。
【０００８】
本発明の目的は、放熱手段を取り付け可能な撮像装置において放熱手段未装着の際には局所的に熱くなりにくく、放熱手段を装着した際には本体から放熱手段へ効率よく伝熱することを可能とした撮像装置を提供することにある。
【課題を解決するための手段】
【０００９】
上記の目的を達成するために、本発明に係る撮像装置は、
三脚を取り付けるための三脚座１２０を備える撮像装置であって、三脚座１２０よりも熱伝導率の低い材料からなる外装カバー１１０と電気部品を実装した基板２０６と、外部から着脱可能な放熱手段３００を別ユニットとして持ち、外部から放熱手段３００を接続可能な挿入部１２２と、を備える撮像装置及び放熱装置であって、挿入部１２２は三脚座１２０と基板２０６に隙間を設けた空間で形成され、前記放熱手段３００は挿入部１２２に挿入可能な突起部３０１を備えており、挿入部１２２に突起部３０１が挿入された際には突起部３０１を介して基板２０６から三脚座１２０への伝熱が行われることを特徴とする。
【発明の効果】
【００１０】
本発明によれば、放熱手段を取り付け可能な撮像装置において放熱手段未装着の際には局所的に熱くなりにくく、放熱手段を装着した際には本体から放熱手段へ効率よく伝熱することを可能とした撮像装置を提供することができる。
【図面の簡単な説明】
【００１１】
【図１】本発明の実施形態に係る撮像装置１０の外観斜視図である。
【図２】撮像装置１０の構成の一部を示す分解斜視図である。
【図３】撮像装置１０の三脚座２０中心における断面図であり、本実施例にかかる放熱切替構造を示す断面図である。
【図４】本発明の実施形態に係る放熱手段１００を装着した撮像装置１０の外観斜視図である。
【図５】放熱手段１００の構成例を示す斜視図である。
【図６】撮像装置１０の三脚座２０中心における断面図であり、本実施例にかかる放熱手段取り付け時の放熱切替構造を示す断面図である。
【発明を実施するための形態】
【００１２】
以下、本発明の実施の形態を図面に基づいて説明する。
【００１３】
［第１の実施の形態］
図１は、本発明の実施形態に係る撮像装置１０の外観斜視図である。
【００１４】
この撮像装置１０は撮影用レンズの交換が可能なレフレックスミラーを有しない一眼カメラとして構成される。図１（ａ）では、撮影用レンズを取り外した状態を示している。ただし、本発明の適用に関し、レンズ交換が可能か否か、及び撮像装置１０がレフレックスミラーを備えるか否かは問わない。
【００１５】
撮像装置１０は上面にモードダイヤル１０３、電子ダイヤル１０４、レリーズボタン１０５を備える。不図示の電源スイッチはモードダイヤル１０３下段の背面側に設けられている。天面には閃光装置等の撮影アクセサリをとりつけるアクセサリシュー１０６を備える。レンズマウント１０７は撮影用レンズを取り付ける部分である。撮像装置１０はレフレックスミラーが廃止されているので、ライブビュー表示のため撮影待機の状態でシャッター羽根が開いている。そのため、撮影用レンズを取り外した状態においてはイメージセンサ１０８の撮像面が露出している。
【００１６】
以降、撮像装置１０に対して、レンズマウント１０７のある側が前面（正面側）、撮影者側が後側（背面側）とする。また、上下方向については、アクセサリシュー１０６が位置する側が上側、本体逆側の面を下側（底面側）とする。
【００１７】
図１（ｂ）は、図１（ａ）に示す撮像装置１０を底面側から見た外観図である。
【００１８】
撮像装置底面部には電池蓋１０９、三脚座１２０が設けられている。本体背面側には開閉可能な液晶ユニット１１１を備えており様々な撮影アングルに対応することが可能となっている。
【００１９】
図２は撮像装置１０の構成の一部を示す分解斜視図である。
【００２０】
レンズ通信接点ユニット２０１は撮影用レンズと通信するための電気的な接点を有している。レンズマウント１０７及びレンズ通信接点ユニット２０１は、ベース体としてのフロントベース２０２の正面側に対し固定されている。フロントベース２０２は金属製であり、撮像装置１０における主たる構造体である。
【００２１】
シャッタユニット２０３はフロントベース２０２の背面側に締結される。イメージセンサユニット２０４はシャッタユニット２０３を挟みフロントベース２０２の内部側に締結される。フロントベース２０２は、レンズマウント１０７と平行なベース部を有する。ベース部にはイメージセンサユニット２０４が締結されるための締結部が設けられている。イメージセンサユニット２５の最背面側にはイメージセンサ基板２０５が固定されている。
【００２２】
イメージセンサユニット２０４のさらに背面側には距離を置いて主基板２０６が配置されている。主基板２０６はフロントベース２０２に固定される。主基板２０６の背面側の実装面には、画像処理システムＩＣ２０７が実装される。不図示のプリント配線基板によってイメージセンサ基板２０５と電気的に接続されている。画像処理システムＩＣ２０７はイメージセンサ基板２０５からの信号を処理する。特に動画撮影時には画像処理システムＩＣ２０７の処理量が増えるため高温になり、主基板２０６全体の温度も上昇する。
【００２３】
主基板２０６背面側には放熱板１１３およびリアプレート１１４が配置されている。放熱板１１３をリアプレート１１４に固定し一体にした状態でフロントベース２０２に締結される。放熱板１１３は銅またはアルミ等の熱伝導率の高い材料を使用しており、熱伝導シート１１５を介して画像処理システムＩＣ２０７の熱を受け取り、本体内部に拡散している。
【００２４】
撮像装置１０の底面に配設される金属製の三脚座１２０はフロントベース２０２に締結されるが、中間に外装カバーまたは熱伝導率の低いシート材を介して締結する。本実施例では三脚座１２０の材質は熱伝導率を高めるため亜鉛ダイカスト用合金を使用している。熱伝導率の高いものであれば亜鉛ダイカスト合金には限らない。
【００２５】
図３は、撮像装置１０の三脚座１２０中心における断面図であり、本実施例にかかる放熱切替構造を示す断面図である。
【００２６】
三脚座１２０と主基板２０６は隙間を設けて固定されており直接接触しない状態にある。隙間上部には熱伝導率の低い樹脂のスペーサー２０７が固定されており、このスペーサー２０７によって三脚座１２０と主基板２０６の間隔を一定に保ち、隙間なく接することで本体内部へのゴミの進入を防止している。この隙間部分１２２は放熱手段の一部を挿入するため以後挿入部１２２と呼ぶこととする。
【００２７】
主基板２０６の表面には基板表面を保護しつつ伝熱するため薄板２０８が設けられている。摺動性、耐久性が問題にならない場合にはこの薄板２０８は不要であり、挿入部１２２に直接基板の一部を露出させてもよい。
【００２８】
主基板２０６の裏面（挿入部１２２と逆の面）には弾性部材を配置しており、主基板２０６の先端部２０６ａは変位可能に支持されている。
【００２９】
図４（ａ）は、本発明の実施形態に係る放熱手段３００を装着した撮像装置１０の外観斜視図である。図４（ｂ）は図４（ａ）を底面側から見た外観斜視図である。図５は放熱手段３００の斜視図である。
【００３０】
本実施例での放熱手段３００は図４（ａ）に示すように撮像装置１０の底面に一定の厚みを持って取り付けられる構成であり、図４（ｂ）に示すように放熱手段３００の底面部には複数の放熱孔３００ａを設けて放熱可能にしている。放熱手段３００の内部には金属が配置されており、熱伝導率の高い部材及び熱放射性の高い材料を重ねることで熱の移送と放熱孔３００ａからの放熱を効率よく行うことができる。放熱手段３００の固定方法は三脚ねじを用いて締結する。
【００３１】
図５は放熱手段３００の構成例を示す斜視図である。
【００３２】
放熱手段３００上面には突起部３０１が設けられており、突起部３０１は放熱手段内部の金属と一体もしくは熱的に接続されている。また、三脚ねじ３０３が挿通可能になっており、撮像装置１０へ固定する際に使用する。放熱手段３００の三脚ねじ挿通部周辺には熱伝導ゴム３０２が固定されており放熱手段３００を撮像装置１０に取り付けた際には三脚座１２０と接触するようになっている。
【００３３】
図６は、撮像装置１０の三脚座１２０中心における断面図であり、本実施例にかかる放熱手段３００取り付け時の放熱切替構造を示す断面図である。
【００３４】
本体の挿入部１２２に突起部３０１が挿入された状態であり、突起部３０１は三脚座１２０と主基板２０６の間に進入し、両方の部材と接触した状態となる。
【００３５】
主基板２０６の裏面の弾性部材が弾性変形することで、主基板２０６及び薄板２０８が突起部３０１と接触しやすくなり、弾性力によって主基板２０６及び薄板２０８と突起部３０１、そして三脚座１２０が必ず接触状態となり、効率よく熱を伝えることが出来る。
【００３６】
主基板２０６の熱は薄板２０８を介して突起部材３０１に伝わり、突起部材３０１の内部３０１ａへ伝播するとともに、突起部材３０１を介して三脚座１２０へも伝わる。三脚座１２０は比較的熱伝導率が高いため三脚座１２０内部でも熱が伝播し、三脚座１２０から熱伝導ゴム３０２を介して突起部材３０１の内部へ熱が伝わる。熱経路としては２通りの経路ができ、三脚座１２０と熱伝導ゴム３０２の接触面積も広いため効率よく熱を突起部材３０１へ伝えることができる。
【００３７】
突起部材３０１の下面には銅シート３０４などの伝熱性の良いものを重ね、さらにその下面には熱放射性の良い素材または塗料３０５を重ねることで熱拡散、熱放射を行う。
【００３８】
これにより、放熱手段３００を装着していない時には三脚座１２０には熱源から熱を伝わりににくくし、放熱手段３００を装着した際には三脚座１２０にも熱源からの熱が伝わりやすくし、伝熱経路を太くすることで熱の移送量を増加させて放熱効率を高めることができる。
【００３９】
なお、本発明の構成は、上記実施形態に例示したものに限定されるものではなく、材質、形状、寸法、形態、数、配置箇所等は、本発明の要旨を逸脱しない範囲において適宜変更可能である。
【符号の説明】
【００４０】
１０  撮像装置、１２０  三脚座、１２２  挿入部、２０６  主基板、
２０８  薄板、３００  放熱手段、３０１  突起部、３０２  熱伝導ゴム
【図１】
2019028194.tif 000003
【図２】
2019028194.tif 000004
【図３】
2019028194.tif 000005
【図４】
2019028194.tif 000006
【図５】
2019028194.tif 000007
【図６】
2019028194.tif 000008